(57)【特許請求の範囲】
【請求項１】
少なくとも、外装材と内壁材とを有する外壁構造と、上下階を隔てるコンクリート製の床スラブと、を有する複数階建ての冷凍・冷蔵倉庫の外壁構造であって、
前記内壁材が、断熱材を２枚の金属板間に挟持してなり前記床スラブの上下に取り付けられた断熱パネルと、該断熱パネルの屋外側の表面を少なくとも覆うロックウール層と、を有し、
前記外装材が、前記床スラブの端部より突出するブラケットに取り付けられることにより、該外装材と前記ロックウール層との間に空隙が形成されていることを特徴とする冷凍・冷蔵倉庫の外壁構造。
【請求項２】
前記断熱材がイソシアヌレートフォームであることを特徴とする請求項１に記載の冷凍・冷蔵倉庫の外壁構造。
【請求項３】
前記ロックウール層が吹き付けロックウールであることを特徴とする請求項１又は２に記載の冷凍・冷蔵倉庫の外壁構造。
【請求項４】
前記床スラブの上方に取り付けられた前記断熱パネルの下部から、前記床スラブの下方に取り付けられた前記断熱パネルの上部にわたって連続し、前記ブラケットの少なくとも前記床スラブの端部への取り付け側と、前記ロックウール層の一部と、を覆うポリウレタンフォームからなる外部断熱層を有することを特徴とする請求項１乃至３のいずれか一項に記載の冷凍・冷蔵倉庫の外壁構造。
【請求項５】
前記床スラブの上方に取り付けられた前記断熱パネルの下部と、前記床スラブの下方に取り付けられた前記断熱パネルの上部とにそれぞれ、前記外部断熱層で覆われた領域内において前記ロックウール層を上下に分断する防湿部材が取り付けられていることを特徴とする請求項４に記載の冷凍・冷蔵倉庫の外壁構造。
【請求項６】
前記防湿部材が、前記断熱パネルに取り付けられた取り付け片と、該取り付け片と平行で前記ロックウール層表面を覆うカバー片と、該取り付け片と該カバー片とを接続し前記ロックウール層を上下に分断する接続片と、を有し、断面が略Ｚ字型であることを特徴とする請求項５に記載の冷凍・冷蔵倉庫の外壁構造。
【請求項７】
前記外部断熱層が、少なくとも前記カバー片を部分的に覆っていることを特徴とする請求項６に記載の冷凍・冷蔵倉庫の外壁構造。
【請求項８】
少なくとも、前記外部断熱層を覆う防湿塗膜を有することを特徴とする請求項５に記載の冷凍・冷蔵倉庫の外壁構造。
【請求項９】
前記防湿塗膜が、前記外部断熱層の上方及び下方に露出した前記ロックウール層にまで延設され、該ロックウール層を部分的に覆っていることを特徴とする請求項８に記載の冷凍・冷蔵倉庫の外壁構造。
【請求項１０】
前記床スラブの上方に取り付けられた前記断熱パネルの下部から、前記床スラブの下方に取り付けられた前記断熱パネルの上部にわたって、該断熱パネルの屋外側に、断熱材を２枚の金属板間に挟持してなる第二の断熱パネルからなる断熱部材が配置され、前記床スラブの上下に配置された断熱パネルの屋外側の露出面及び前記断熱部材の屋外側の露出面に連続して、前記ロックウール層が配置されていることを特徴とする請求項１乃至３のいずれか一項に記載の冷凍・冷蔵倉庫の外壁構造。
【請求項１１】
前記断熱部材の断面が略コ字型であり、該略コ字の外側及び内側に前記金属板を有することを特徴とする請求項１０に記載の冷凍・冷蔵倉庫の外壁構造。
【請求項１２】
前記断熱部材と前記ブラケットとの間にポリウレタンフォームが充填されていることを特徴とする請求項１０又は１１に記載の冷凍・冷蔵倉庫の外壁構造。
【請求項１３】
前記冷凍・冷蔵倉庫の基礎の上に床断熱材、次いで最下階の床スラブが配置され、前記内壁材が前記床断熱材及び前記最下階の床スラブの周縁を取り囲んで、前記基礎上に配置されていることを特徴とする請求項１乃至１２のいずれか一項に記載の冷蔵・冷蔵倉庫の外壁構造。
【請求項１４】
少なくとも、外装材と内壁材とを有する外壁構造と、上下階を隔てるコンクリート製の床スラブと、を有する複数階建ての冷凍・冷蔵倉庫の外壁構造であって、
前記内壁材が、２枚の金属板と、該２枚の金属板間に挟持されたロックウール層とを有し、前記床スラブの上下に取り付けられた耐火パネルであり、
前記外装材が、前記床スラブの端部より突出するブラケットに取り付けられることにより、該外装材と前記耐火パネルとの間に空隙が形成されていることを特徴とする冷凍・冷蔵倉庫の外壁構造。
【請求項１５】
少なくとも、外装材と内壁材とを有する外壁構造と、上下階を隔てるコンクリート製の床スラブと、を有する複数階建ての冷凍・冷蔵倉庫の外壁構造であって、
前記内壁材が、２枚の金属板と、該２枚の金属板の内側に配置された２層のロックウール層と、該２層のロックウール層に挟持されたポリウレタンフォーム、フェノールフォーム、イソシアヌレートフォームのいずれかからなる中間層と、を有し、前記床スラブの上下に取り付けられた耐火パネルであり、
前記外装材が、前記床スラブの端部より突出するブラケットに取り付けられることにより、該外装材と前記耐火パネルとの間に空隙が形成されていることを特徴とする冷凍・冷蔵倉庫の外壁構造。
【請求項１６】
前記床スラブの上方に取り付けられた前記耐火パネルの下部から、前記床スラブの下方に取り付けられた前記耐火パネルの上部にわたって連続し、前記床スラブの端部と、前記ブラケットの少なくとも前記床スラブの端部への取り付け側と、前記耐火パネルの金属板の一部と、を覆うポリウレタンフォームからなる外部断熱層を有することを特徴とする請求項１４又は１５に記載の冷凍・冷蔵倉庫の外壁構造。
【請求項１７】
前記外部断熱層を覆う防湿塗膜を有することを特徴とする請求項１６に記載の冷凍・冷蔵倉庫の外壁構造。
【請求項１８】
前記冷凍・冷蔵倉庫の基礎の上に床断熱材、次いで最下階の床スラブが配置され、前記内壁材が前記床断熱材及び前記最下階の床スラブの周縁を取り囲んで、前記基礎上に配置されていることを特徴とする請求項１４乃至１７のいずれか１項に記載の冷蔵・冷蔵倉庫の外壁構造。
【発明の詳細な説明】
【技術分野】
【０００１】
本発明は、断熱性と耐火性とを備えた冷凍倉庫や冷蔵倉庫の外壁構造に関する。
【背景技術】
【０００２】
従来、冷凍倉庫や冷蔵倉庫の外壁構造としては、特許文献１に開示されているように、コンクリート製の耐火外壁の屋外側に断熱材と外装材とを配置した構造が知られている。また、特許文献２には、冷凍倉庫の外壁材として、発泡硬質ウレタンからなる断熱層の両面に、けい酸カルシウム板とアルミナシリケート繊維紙と鋼板とからなる不燃層を被覆した耐火断熱板材が開示されている。係る耐火断熱板材は軽量であり、躯体に取り付けることで外壁が形成されるため、施工が容易で施工期間が短いという利点がある。
【先行技術文献】
【特許文献】
【０００３】
【特許文献１】特開平８−４１４１号公報
【特許文献２】特開平１０−２９９１２９号公報
【発明の概要】
【発明が解決しようとする課題】
【０００４】
特許文献１に開示された外壁構造は、コンクリート製の耐火外壁によって重量がかさみ、特に、２階以上の複数階建ての場合に、建物全体の重量が大きくなるという問題があった。そこで、特許文献２に開示されているような非コンクリート製の耐火断熱板材を用いることで、外壁の軽量化と施工性の向上を図ることが期待されるが、係る耐火断熱板材は、コンクリート製の耐火外壁を用いた場合に比べて耐火性が低い。耐火性を向上させるためには、係る耐火断熱板材の不燃層を厚くすればよいが、結果として耐火断熱板材の重量が増してしまう。
【０００５】
本発明の課題は、上記課題を解決し、複数階建ての冷凍・冷蔵倉庫において、軽量で高い耐火性と断熱性とを備え、施工が容易な外壁構造を提供することにある。
【課題を解決するための手段】
【０００６】
本発明の第１は、（１）少なくとも、外装材と内壁材とを有する外壁構造と、上下階を隔てるコンクリート製の床スラブと、を有する複数階建ての冷凍・冷蔵倉庫の外壁構造であって、
前記内壁材が、断熱材を２枚の金属板間に挟持してなり前記床スラブの上下に取り付けられた断熱パネルと、該断熱パネルの屋外側の表面を少なくとも覆うロックウール層と、を有し、
前記外装材が、前記床スラブの端部より突出するブラケットに取り付けられていることにより、該外装材と前記ロックウール層との間に空隙が形成されていることを特徴とする。
【０００７】
本発明の第１においては、下記の構成を好ましい態様として含む。
（２）前記（１）において、前記断熱材がイソシアヌレートフォームである。
（３）前記（１）又は（２）において、前記ロックウール層が吹き付けロックウールである。
（４）前記（１）〜（３）のいずれかにおいて、床スラブの上方に取り付けられた前記断熱パネルの下部から、前記床スラブの下方に取り付けられた前記断熱パネルの上部にわたって連続し、前記ブラケットの少なくとも前記床スラブの端部への取り付け側と、前記ロックウール層の一部と、を覆うポリウレタンフォームからなる外部断熱層を有する。
（５）前記（４）において、前記床スラブの上方に取り付けられた前記断熱パネルの下部と、前記床スラブの下方に取り付けられた前記断熱パネルの上部とにそれぞれ、前記外部断熱層で覆われた領域内において前記ロックウール層を上下に分断する防湿部材が取り付けられている。
（６）前記（５）において、前記防湿部材が、前記断熱パネルに取り付けられた取り付け片と、該取り付け片と平行で前記ロックウール層表面を覆うカバー片と、該取り付け片と該カバー片とを接続し前記ロックウール層を上下に分断する接続片と、を有し、断面が略Ｚ字型である。
（７）前記（６）において、前記外部断熱層が、少なくとも前記カバー片を部分的に覆っている。
（８）前記（７）において、少なくとも、前記外部断熱層を覆う防湿塗膜を有する。
（９）前記（８）において、前記防湿塗膜が、前記外部断熱層の上方及び下方に露出した前記ロックウール層にまで延設され、該ロックウール層を部分的に覆っている。
（１０）前記（１）〜（３）のいずれかにおいて、前記床スラブの上方に取り付けられた前記断熱パネルの下部から、前記床スラブの下方に取り付けられた前記断熱パネルの上部にわたって、該断熱パネルの屋外側に、断熱材を２枚の金属板間に挟持してなる第二の断熱パネルからなる断熱部材が配置され、前記床スラブの上下に配置された断熱パネルの屋外側の露出面及び前記断熱部材の屋外側の露出面に連続して、前記ロックウール層が配置されている。
（１１）前記（１０）において、前記断熱部材の断面が略コ字型であり、該略コ字の外側及び内側に前記金属板を有する。
（１２）前記（１０）又は（１１）において、前記断熱部材と前記ブラケットとの間にポリウレタンフォームが充填されている。
（１３）前記（１）〜（１２）のいずれかにおいて、前記冷凍・冷蔵倉庫の基礎の上に床断熱材、次いで最下階の床スラブが配置され、前記内壁材が前記床断熱材及び前記最下階の床スラブの周縁を取り囲んで、前記基礎上に配置されている。
【０００８】
本発明の第２は、少なくとも、外装材と内壁材とを有する外壁構造と、上下階を隔てるコンクリート製の床スラブと、を有する複数階建ての冷凍・冷蔵倉庫の外壁構造であって、
前記内壁材が、前記床スラブの上下に取り付けられた耐火パネルであり、
前記外装材が、前記床スラブの端部より突出するブラケットに取り付けられることにより、該外装材と前記耐火パネルとの間に空隙が形成されていることを特徴とする。
【０００９】
そして、本発明の第２において、前記耐火パネルは、
（１４）２枚の金属板と、該２枚の金属板間に挟持されたロックウール層とを有する、
（１５）２枚の金属板と、該２枚の金属板の内側に配置された２層のロックウール層と、該２層のロックウール層に挟持されたポリウレタンフォーム、フェノールフォーム、イソシアヌレートフォームのいずれかからなる中間層と、を有する、
のいずれかである。
【００１０】
本発明の第２においては、下記の構成を好ましい態様として含む。
（１６）前記（１４）又は（１５）において、前記床スラブの上方に取り付けられた前記耐火パネルの下部から、前記床スラブの下方に取り付けられた前記耐火パネルの上部にわたって連続し、前記床スラブの端部と、前記ブラケットの少なくとも前記床スラブの端部への取り付け側と、前記耐火パネルの金属板の一部と、を覆うポリウレタンフォームからなる外部断熱層を有する。
（１７）前記（１６）において、前記外部断熱層を覆う防湿塗膜を有する。
（１８）前記（１４）〜（１７）のいずれかにおいて、前記冷凍・冷蔵倉庫の基礎の上に床断熱材、次いで最下階の床スラブが配置され、前記内壁材が前記床断熱材及び前記最下階の床スラブの周縁を取り囲んで、前記基礎上に配置されている。
【発明の効果】
【００１１】
本発明の第１の外壁構造においては、以下の効果が得られる。
本発明においては、内壁材が軽量で高い耐火性を有するロックウール層を耐火層として備えていることから、軽量で高い耐火性を有する冷凍・冷蔵倉庫の外壁構造が得られ、１時間の耐火基準を満たす外壁とすることもできる。また、ロックウール層の屋外側に外装材が配置されていることにより、該ロックウール層が外部環境から保護され、耐火性が維持される。本発明においては、該外装材が床スラブの端部にブラケットを介して取り付けられていることから、該外装材とロックウール層との間に空隙が形成され、ロックウール層を外装材で押しつぶすなどの影響を及ぼすことなく、該ロックウール層を外装材で保護することができる。
【００１２】
さらに、本発明において、上下階を隔てる床スラブの上方の断熱パネルの下部から、下方の断熱パネルの上部にわたって連続するポリウレタンフォームからなる外部断熱層を設けることで、上記床スラブの端部及びブラケット周辺の断熱性が向上する。また、上記床スラブの端部付近のロックウール層が該外部断熱層で覆われることにより、該床スラブの端部付近のロックウール層内に湿気が侵入するのが抑制され、ロックウール層内に侵入した湿気が結露して、該ロックウール層が下方に垂れ下がる、さらには該ロックウール層が断熱パネルから剥離するなどして、外壁の耐火性が低下するのが抑制される。また、係るロックウール層の垂れ下がりや剥離によって、上記外部断熱層が剥落して床スラブの端部近傍の断熱性が低下するのも抑制される。
【００１３】
本発明においてはさらに、上記外部断熱層で覆われた領域内に防湿部材を配置することによって、外部断熱層で覆われていないロックウール層の表面から該ロックウール層内に湿気が侵入し、係る湿気が床スラブ近傍にまで侵入して結露し、上記した外壁の耐火性低下や床スラブの端部近傍の断熱性が低下を招くのを防止することができる。
【００１４】
さらにまた、上記外部断熱層を防湿塗膜で覆うことにより、該外部断熱層が湿気から保護され、外部断熱層の湿気による劣化が防止される。
【００１５】
また、本発明においては、上下階を隔てる床スラブの上方の断熱パネルの下部から、下方の断熱パネルの上部にわたって、屋外側に第二の断熱パネルからなる断熱部材を配置し、床スラブ上下の断熱パネル及び上記断熱部材の屋外側の露出面にロックウール層を配置することで、上記床スラブの端部周辺の断熱性が向上すると同時に、ロックウール層と床スラブとの間に断熱部材が介在するため、ロックウール層内で結露が発生することがなく、係る結露によってロックウール層が剥離して外壁の耐火性が低下するおそれがない。特に、ブラケットと断熱部材との間にポリウレタンフォーム等の断熱性充填材を充填しておくことで、ブラケット周辺の断熱性もより向上する。
【００１６】
本発明の外壁構造は、内壁材が、非コンクリート製の断熱パネルとロックウール層で構成されるため、軽量で施工が容易である。また、外部断熱層や防湿塗膜の施工、断熱部材の取り付け施工のいずれもが容易で短期間で実施できる。よって、本発明によれば、軽量で、高い耐火性と断熱性を有し、より安価に短期間で施工可能な冷凍・冷蔵倉庫の外壁構造が得られる。
【００１７】
本発明の第２の外壁構造においては、以下の効果が得られる。
本発明においては、内壁材が、非コンクリート製の耐火パネルで構成されるため、軽量で施工が容易であり、１時間耐火の外壁構造とすることもできる。
【００１８】
また、本発明において、上下階を隔てる床スラブの上方の耐火パネルの下部から、下方の耐火パネルの上部にわたって連続するポリウレタンフォームからなる外部断熱層を設けることで、上記床スラブの端部及びブラケット周辺の断熱性が向上する。さらにまた、上記外部断熱層を防湿塗膜で覆うことにより、該外部断熱層が湿気から保護され、外部断熱層の湿気による劣化が防止される。
【００１９】
本発明の外壁構造は、内壁材が、非コンクリート製の耐熱パネルであるため、軽量で施工が容易である。また、外部断熱層や防湿塗膜の施工のいずれもが容易で短期間で実施できる。よって、本発明によれば、軽量で、高い耐火性と断熱性を有し、より安価に短期間で施工可能な冷凍・冷蔵倉庫の外壁構造が得られる。
【００２０】
本発明の第１及び第２のいずれの外壁構造においても、基礎の上に床断熱材と床スラブが配置され、該床断熱材と床スラブの周縁を取り囲んで断熱パネル或いは耐火パネルが配置されるため、床スラブから基礎につながる伝熱経路が形成されず、床断熱材の周縁部から立ち上がる立ち上がり断熱材が不要で、広い床面積を得ることができる。
【図面の簡単な説明】
【００２１】
【図１】本発明の第１の外壁構造の一実施形態の構成を模式的に示すための、外壁の厚さ方向及び垂直方向の切断部端面図である。
【図２】図１の外壁構造の水平方向の断面図であり、図１のＡ−Ａ’断面図である。
【図３】本発明の外壁構造の他の実施形態の構成を模式的に示すための、外壁の厚さ方向及び垂直方向の切断部端面図である。
【図４】図３の外壁構造の水平方向の断面図であり、図３のＣ−Ｃ’断面図である。
【図５】図３の防湿部材付近の拡大図であり、図３中の破線で囲まれた領域Ｄの拡大図である。
【図６】図３の実施形態の応用例を示す端面図であり、図５と同じ領域の図である。
【図７】本発明の第１の外壁構造の他の実施形態の構成を模式的に示すための、外壁の厚さ方向及び垂直方向の切断部端面図である。
【図８】図７と同じ実施形態の、水平方向において異なる位置での、外壁の厚さ方向及び垂直方向の切断部端面図である。
【図９】図７の外壁構造の水平方向の断面図であり、図７のＦ−Ｆ’断面図である。
【図１０】図７の外壁構造の水平方向の断面図であり、図７のＧ−Ｇ’断面図である。
【図１１】本発明の第２の外壁構造の実施形態の構成を模式的に示すための、外壁の厚さ方向及び垂直方向の切断部端面図である。
【図１２】図１１の外壁構造の水平方向の断面図であり、図１１のＪ−Ｊ’断面図である。
【図１３】本発明の第２の外壁構造の他の実施形態の構成を模式的に示すための、外壁の厚さ方向及び垂直方向の切断部端面図である。
【図１４】本発明の第２の外壁構造の他の実施形態の構成を模式的に示すための、外壁の厚さ方向及び垂直方向の切断部端面図である。
【図１５】図１４の外壁構造の水平方向の断面図であり、図１４のＬ−Ｌ’断面図である。
【図１６】本発明の第２の外壁構造の他の実施形態の構成を模式的に示すための、外壁の厚さ方向及び垂直方向の切断部端面図である。
【発明を実施するための形態】
【００２２】
本発明の外壁構造は、鉄筋コンクリート（ＲＣ）構造や鉄骨鉄筋コンクリート（ＳＲＣ）構造の冷凍倉庫及び冷蔵倉庫（冷凍・冷蔵倉庫）に適用される外壁構造であって、従来、現場で打設されたコンクリート壁或いはスパンクリート等のコンクリートパネルの屋外側に断熱材を取り付けた内壁材に替えて、断熱材を２枚の金属板で挟んだ断熱パネルとロックウール層とからなる内壁材、或いは、耐火パネルを用いたことに特徴を有する。また、本発明の外壁構造は、上下階を隔てるコンクリート製の床スラブを有する冷凍・冷蔵倉庫の外壁構造であり、該床スラブの端部にブラケットを介して外装材が取り付けられている。以下に、本発明の外壁構造を、実施形態を挙げて詳細に説明する。
【００２３】
〈第１の外壁構造〉
図１は、本発明の第１の外壁構造の一実施形態の構成を模式的に示す図であり、外壁の厚さ方向及び垂直方向の切断部端面図である。また、図２は、本例の外壁構造の水平方向の断面図であり、図１のＡ−Ａ’断面図である。尚、図１は図２のＢ−Ｂ’切断部の端面図である。
【００２４】
図１，図２の実施形態において、１は基礎、２は床断熱材、３は１階の床スラブ、４は１階と２階とを隔てる床スラブである。本発明の外壁構造は、内壁材１１と外装材２１とを有しており、内壁材１１は、断熱パネル１２と該断熱パネル１２の屋外側に配置されたロックウール層１５とからなる。また、外装材２１はブラケット２２を介して床スラブ４の端部に取り付けられている。床スラブ３，４はいずれもコンクリート製であり、現場で打設されたもの或いはスパンクリート等のコンクリートパネルにより構成されたもののいずれであってもよい。
【００２５】
本発明において、断熱パネル１２は、断熱材１４を２枚の金属板１３，１３間に挟持してなる。断熱材１４としては、高い断熱性と難燃性を有するイソシアヌレートフォームが好ましく用いられる。金属板１３は、厚さが好ましくは０．５ｍｍ〜４．０ｍｍであり、鋼板やステンレス、ガリバリウム鋼板、さらには、これらに合成樹脂塗装やメッキを施したものが好ましく用いられる。また、断熱材１４は、好ましくは、厚さが４９ｍｍ〜２９９ｍｍであり、断熱パネル１２として厚さが５０ｍｍ〜３００ｍｍとなることが好ましい。断熱パネル１２として好ましくは、断熱材１４がイソシアヌレートフォームで、金属板１３が合成樹脂塗装鋼板或いは合成樹脂塗装めっき鋼板である、国土交通大臣認定番号ＮＭ−３０６５或いはＮＭ−３６９９の建築用不燃ボードが用いられる。
【００２６】
本発明に係るロックウール層１５は、耐火層であって、フェルト状に成形されたロックウールシートであってもよいが、施工が容易であることから吹き付けロックウールが好ましい。吹き付けロックウールは、ロックウール粒状綿を結合材としてのセメントと共に、専用の吹付け機を用いて吹き付けてなる。いずれも、内部に連続気泡を有し、軽量で耐火性に優れている。ロックウール層１５がロックウールシートの場合には、予め断熱パネル１２に該ロックウールシートを取り付けて一体化しておいてから、該断熱パネル１２を床スラブ４に取り付けても良い。また、ロックウール層１５が吹き付けロックウールの場合には、断熱パネル１２を床スラブ４に取り付けた後、ロックウールを吹き付ければよい。
【００２７】
本発明においては、少なくとも、断熱パネル１２の屋外側表面に該ロックウール層１５を有する。ロックウール層１５の厚さは、好ましくは１０ｍｍ〜５０ｍｍである。本発明においては、断熱パネル１２として上記国土交通大臣認定番号ＮＭ−３０６５或いはＮＭ−３６９９の建築用不燃ボードを用い、吹き付けロックウールでロックウール層１５を形成することで、国土交通大臣認定番号ＦＰ０６０ＮＥ−９３０５の１時間耐火の吹き付けロックウール被覆外壁を構成することができ、本発明の内壁材１１として好ましく用いることができる。
【００２８】
本発明においては、内壁材１１よりも屋外側に外装材２１が配置されているため、内壁材１１の屋外側に配置されたロックウール層１５が、雨や雪、風などの外部環境より保護され、係る外部環境によってロックウール層１５が損傷し、内壁材１１の耐火性が低下するのが防止される。また、本発明では、内壁材１１に外装材２１、或いは、該外装材２１を取り付けるための胴縁を直接取り付けると、外装材２１や胴縁でロックウール層１５を押しつぶすことになるため、係る構成を取ることができない。そこで本発明においては、外装材２１をブラケット２２を介して床スラブ４の端部に取り付けることにより、該外装材２１とロックウール層１５との間に空隙を形成し、ロックウール層１５に外装材２１が接触しないように構成されている。
【００２９】
本例では、ブラケット２２と床スラブ４との間に断熱パッキン２３を介在させることで、断熱対策が施されている。ブラケット２２が金属製の場合、コンクリート製の床スラブ４の端部に直接ブラケット２２を取り付けた場合に、床スラブ４とブラケット２２とが屋内側から屋外側につながる伝熱経路を形成してしまうが、本例のように、ブラケット２２と床スラブ４との間に断熱パッキン２３を介在させることで、係る伝熱経路を遮断し、断熱性を高めることができる。断熱パッキン２３としてはウレタン繊維断熱材の加工品が好ましく用いられる。
【００３０】
尚、本例では、ブラケット２２の端部が縦胴縁２４に溶接固定された取り付け板２７に取り付けられ、該縦胴縁２４に取り付け金具２６によって横胴縁２５が取り付けられた上で、該横胴縁２５に外装材２１が取り付けられているが、取り付け板２７、縦胴縁２４、横胴縁２５は、取り付けられる外装材２１の種類や寸法によって必要に応じて用いられる。外装材２１としては、市販の建築外装用の金属板、金属波板、或いはこれらに樹脂塗装を施したものが好ましく用いられる。また、外装材２１の下端には、必要に応じて水切り金具３２が取り付けられる。
【００３１】
断熱パネル１２は上下階を隔てる床スラブ４の上下に配置され、該断熱パネル１２に接する部材、或いは、該断熱パネル１２の近傍に配置された部材に固定される。本例においては、アングル３１を用いて、１階の断熱パネル１２は上端を床スラブ４に、下端を基礎１に固定し、２階の断熱パネル１２の下端を床スラブ４に固定した例を示したが、本発明は係る例に限定されない。具体的には、断熱パネル１２の下端は１階であれば基礎１に、２階以上では床スラブ４に固定すれば良く、断熱パネル１２の上端は、最上階以外は上階の床スラブ４、或いは床スラブ４の端部近傍に設けられる梁（不図示）に固定すれば良く、最上階については天井スラブ、天井スラブの端部近傍に設けられる梁、鉄骨等に固定される。また、柱近傍の断熱パネル１２は、該柱にブラケット等で固定されていても良い。本例では断熱パネル１２の固定にアングル３１を用いた例を示したが、固定方法はアングル３１に限定されるものではなく、ビスや釘などを用いてもかまわない。
【００３２】
また、断熱パネル１２を床スラブ４の上下に配置した際、床スラブ４の下面と断熱パネル１２の上端との間に隙間を生じる場合がある。このような場合には、係る隙間が断熱欠損とならないように、断熱材を充填しておくことが望ましく、係る断熱材としては、断熱パネル１２の断熱材１４や、ポリウレタンフォームが好ましく用いられる。
【００３３】
また、本発明に係る断熱パネル１２は、図２に示すように、水平方向断面において一端を凸状に、他端を該凸状に嵌合する凹状に形成し、水平方向に隣接する２枚の断熱パネル１２を、互いに突き合う端部において互いに嵌合させることによって、厚さ方向にずれることなく、且つ隙間無く配置することができる。
【００３４】
本発明の施工方法は以下の通りである。ロックウール層１５がロックウールシートからなる場合には、予めロックウールシートを取り付けた断熱パネル１２を床スラブ４の上下に取り付けるか、床スラブ４の上下に断熱パネル１２を取り付けた後、ロックウールシートを取り付ける。また、ロックウール層１５が吹き付けロックウールの場合には、床スラブ４の上下に断熱パネル１２を取り付けた後、ロックウールを吹き付けてロックウール層１５を形成する。次いで、ブラケット２２に、必要に応じて、縦胴縁２４或いは取り付け板２７を取り付けた縦胴縁２４、横胴縁２５を取り付け、外装材２１を取り付ける。ブラケット２２は水平方向において所定の間隔をおいて床スラブ４の端部に取り付けられる。本発明の外壁構造は、非コンクリート製であるため、コンクリートの打設や、重いコンクリートパネルの取り付けなどの繁雑な作業が不要であり、作業が容易で短期間で施工することができる。
【００３５】
尚、床スラブ４の端部へのブラケット２２の取り付けは、断熱パネル１２を床スラブ４の上下に取り付けた後が好ましく、ロックウール層１５が吹き付けロックウールの場合には、ロックウールの吹き付け前が好ましい。床スラブ４はコンクリート製で耐火性を有するため、ロックウール層１５は少なくとも断熱パネル１２の屋外側表面を覆っていればよいが、屋外側に露出した床スラブ４の表面をロックウール層１５で覆ってしまってもかまわない。
【００３６】
従来のコンクリート製の耐火外壁の屋外側に断熱材を取り付けた外壁構造の場合も、最下階の屋内側には、基礎１の上に床断熱材２、さらにその上に床スラブ３を配置していたが、床断熱材２と床スラブ３の周縁を取り囲んでコンクリート製の耐火外壁が配置されるため、床スラブ３から耐火外壁を経て基礎１につながる伝熱経路が形成されてしまう。よって、該伝熱経路を遮断するため、耐火外壁と床スラブ３の周縁との間に、床断熱材２の周縁部から立ち上がる立ち上がり断熱材が突出しており、そのため、屋内側の床面積は該立ち上がり断熱材の分だけ狭くなっていた。本発明においては、図１に示すように、基礎１の上に床断熱材２と床スラブ３とが順次配置され、これら床断熱材２と床スラブ３の周縁を取り囲んで、断熱パネル１２が基礎１の上に配置されるため、床スラブ３と基礎１とが遮断されて屋内から基礎１につながる伝熱経路が形成されない。よって、上記のような、床断熱材２の周縁部から立ち上がる立ち上がり断熱材を配置する必要がなく、床面積を広くとることができる。
【００３７】
図３〜図６を用いて、本発明の外壁構造において、床スラブの端部周辺の断熱性を高めた実施形態について説明する。図３は、本例の外壁構造の構成を模式的に示す図であり、外壁の厚さ方向及び垂直方向の切断部端面図である。また、図４は、本例の外壁構造の水平方向の断面図であり、図３のＣ−Ｃ’断面図である。尚、図３は図４のＥ−Ｅ’切断部の端面図である。また、図５は図３の防湿部材４２付近（破線で囲まれた領域Ｄ）の拡大図であり、図６は本例の応用例を示す端面図であり、図５と同じ領域を示す図である。
【００３８】
本例の外壁構造は、図３，図４に示すように、基本的に図１，図２に示した外壁構造を備え、さらにポリウレタンフォームからなる外部断熱層４１を備えている。外部断熱層４１は、床スラブ４の上方に取り付けられた断熱パネル１２の下部から、床スラブ４の下方に取り付けられた断熱パネル１２の上部にわたって連続し、ロックウール層１５の一部と、ブラケット２２の少なくとも床スラブ４の端部への取り付け側と、を覆っている。従って、床スラブ４の端部も外部断熱層４１で覆われており、床スラブ４の端部がロックウール層１５で覆われている場合には、該ロックウール層１５の屋外側が該外部断熱層４１で覆われている。係る外部断熱層４１で覆われることにより、コンクリート製の床スラブ４の端部及びブラケット２２の周辺の断熱性が高まる。また、ポリウレタンフォームは現場で発泡成形することができるため、ブラケット２２の周囲など、凹凸を有する表面を隙間無く容易に断熱被覆することができる。本発明においては、ロックウール層１５と外装材２１との間に空隙が形成されているため、係る空隙を利用して外部断熱層４１を形成することができる。
【００３９】
また、ロックウール層１５は連続気泡を有し、通気性があるために、ロックウール層１５内には外部より湿気が侵入しやすく、床スラブ４近傍に達した湿気は、該床スラブ４によって冷却され、結露するおそれがある。ロックウール層１５内で結露が生じた場合、結露の重みでロックウール層１５が下方に垂れ下がったり、さらには、ロックウール層１５が断熱パネル１２から剥離したりするおそれがあり、結果として内壁材１１の耐火性が低下するおそれがある。これに対して、ポリウレタンフォームは独立気泡を有する発泡体であり、通気性に乏しいため、床スラブ４の端部近傍のロックウール層１５を該ポリウレタンフォームで覆うことにより、床スラブ４近傍のロックウール層１５に湿気が侵入しにくくなり、ロックウール層１５内での結露の発生が抑制される。
【００４０】
さらに、本例では、外部断熱層４１で覆われた領域内においてロックウール層１５を上下に分断する防湿部材４２を配置することにより、外部断熱層４１で覆われていない領域からロックウール層１５内に侵入した湿気が、床スラブ４近傍にまで侵入して結露するのを防止することができる。防湿部材４２としては、金属製、合成樹脂製のいずれであってもよく、通気性がなく、ロックウール層１５を上下に分断できる水平方向に長尺の部材であれば、形状は特に限定されないが、図５に示すように、カバー片４２ａと、該カバー片４２ａと平行な取り付け片４２ｂと、該カバー片４２ａと取り付け片４２ｂとを接続する接続片４２ｃとからなる断面が略Ｚ字型の部材が好ましい。係る防湿部材４２は、断熱パネル１２に不図示のビス或いは接着剤等により取り付けられ、カバー片４２ａがロックウール層１５表面を覆い、接続片４２ｃがロックウール層１５を分断する。尚、本例では、接続片４２ｃを中心に取り付け片４２ｂを床スラブ４側に向けて防湿部材４２を配置しているが、本発明ではこれに限定されない。逆に、カバー片４２ａを床スラブ４側に向けて配置しても良いが、その場合には、床スラブ４を挟んで上下に配置する防湿部材４２，４２のカバー片４２ａ，４２ａの端部同士が突き当たらないようにする必要がある。床スラブ４を挟んで上下に配置する防湿部材４２，４２のカバー片４２ａ，４２ａの端部同士が突き当たった場合には、該カバー片４２ａ，４２ａが床スラブ４の端部を屋外側から完全に覆うことになり、該床スラブ４の端部をポリウレタンフォームで覆うことができなくなる。よって、この場合には、上下の防湿部材４２，４２のカバー片４２ａ，４２ａの端部が間隙を介して位置するように該防湿部材４２，４２を上下で離して断熱パネル１２，１２に取り付ける。
【００４１】
防湿部材４２は、断熱パネル１２にロックウール層１５を形成する前に断熱パネル１２に取り付けられる。断熱パネル１２とカバー片４２ａと接続片４２ｃとで囲まれる領域において断熱パネル１２がロックウール層１５で覆われるように、図５に示すように、接続片４２ｃの幅（外壁の厚さ方向の接続片４２ｃの長さ）が、ロックウール層１５の厚さよりも好ましくは３０ｍｍ〜５０ｍｍ程度大きい防湿部材４２を用い、カバー片４２ａと断熱パネル１２との隙間にロックウールシートを押し込む、或いは、ロックウールを吹き付けて、該隙間にロックウールを充填することが望ましい。
【００４２】
本例において、外部断熱層４１は、図５に示すように、少なくともカバー片４２ａを部分的に覆うように形成されるため、外部断熱層４１が床スラブ４を挟んで上下に配置された防湿部材４２，４２と良好に付着して、剥離しにくくなる。
【００４３】
さらに本例では、外部断熱層４１を防湿塗膜５１で覆って外部断熱層４１を湿気や水から保護することが好ましい。防湿塗膜５１は、好ましくは図６に示すように、防湿部材４２のカバー片４２ａ、さらには、該カバー片４２ａで覆われていないロックウール層１５を部分的に覆うまで形成することが好ましい。防湿塗膜５１としては、特に限定されないが、ゴムアスファルトエマルジョン系の防湿材を塗布することによって好ましく形成される。
【００４４】
本例では、上記したように、断面が略Ｚ字型の防湿部材４２を用い、床スラブ４を挟んで上下に配置された防湿部材４２，４２間のロックウール層１５及び防湿部材４２のカバー片４２ａの一部を外部断熱層４１で覆い、さらに、これらを防湿塗膜５１で覆うことにより、床スラブ４を挟んで上下に配置された防湿部材４２，４２間のロックウール層１５に屋外側から湿気が侵入する経路が全て遮断されて床スラブ４近傍のロックウール層１５内における結露の発生が防止されて、ロックウール層１５内の結露に起因する内壁材１１の耐火性の低下が防止されると同時に、外部断熱層４１も湿気から保護され、外部断熱層４１の劣化による床スラブ４の端部付近の断熱性の低下が防止される。
【００４５】
尚、防湿部材４２としては、図５に示した防湿部材４２の取り付け片４２ｂと接続片４２ｃとからなる断面がＬ字型の部材であっても、ロックウール層１５内に侵入した湿気が床スラブ４近傍に至るのを防止することができる。係る防湿部材４２においても、取り付け片４２ｂを床スラブ４側、或いはその逆側のいずれに向けて配置しても良い。
【００４６】
本発明の外壁構造における床スラブ４の端部周辺の断熱性を高めた他の実施形態について、図７〜図１０を用いて説明する。図７、図８は、本例の外壁構造の構成を模式的に示す図であり、外壁の厚さ方向及び垂直方向の切断部端面図である。図７と図８とは水平方向において異なる位置の切断部の端面図である。また、図９は、本例の外壁構造の水平方向の断面図であり、図７のＦ−Ｆ’断面図である。また、図１０は本例の外壁構造の水平方向の断面図であり、図７のＧ−Ｇ’断面図である。尚、図７は図９のＨ−Ｈ’切断部の端面図であり、図８は図９のＩ−Ｉ’切断部の端面図である。
【００４７】
本例においても、図７〜図１０に示すように、基本的に図１，図２に示した外壁構造を備え、さらに、第二の断熱パネルからなる断熱部材５２を備えている。該断熱部材５２は、床スラブ４の上方に取り付けられた断熱パネル１２の下部から、床スラブ４の下方に取り付けられた断熱パネル１２の上部にわたって、断熱パネル１２の屋外側に取り付けられている。よって、本例では、床スラブ４の端部が断熱部材５２によって覆われ、断熱パネル１２の屋外側の露出面と、断熱部材５２の屋外側の露出面に連続してロックウール層１５が配置されている。
【００４８】
本例において用いられる断熱部材５２は、断熱材５４を２枚の金属板５３，５３間に挟持してなる第二の断熱パネルからなる。係る断熱材５４及び金属板５３としては、前記した断熱パネル１２を構成する断熱材１４及び金属板１３と同じ材料が好ましく用いられ、好ましくは、第二の断熱パネルとしては、断熱パネル１２と同じ構成とする。
【００４９】
本例の断熱部材５２は、厚さ方向及び垂直方向における断面が略コ字型であり、該略コ字の外側及び内側にそれぞれ金属板５３，５３を備えている。係る断熱部材５２は、第二の断熱パネルを３枚組み合わせて一体化することで得られる。これにより、断熱パネル１２の屋外側表面が床スラブ４の端部よりも屋内側に位置していた場合でも、略コ字形の内側に床スラブ４の端部を配置させて、該断熱部材５２を断熱パネル１２に取り付けることができる。
【００５０】
尚、断熱パネル１２の屋外側表面と床スラブ４の端部とが連続している場合や、床スラブ４の端部の方が屋内側に引っ込んでいるような場合には、断熱部材５２は本例のように略コ字型の断面を有する形状である必要はなく、板状の第二の断熱パネルをそのまま用いても良い。断熱部材５２が板状の場合には、金属板５３が断熱パネル１２の金属板１３と平行になるように配置する。そして、断熱部材５２の上下端に断熱材５４の端部が露出するため、係る端部を金属板５３と同じ金属板で覆うことが好ましい。
【００５１】
断熱部材５２の断熱パネル１２への取り付けは、ビスや釘、アングルなど、一般の取り付け部材（不図示）を用いることができる。
【００５２】
また、本例の断熱部材５２は水平方向に連続した長尺の部材であるが、ブラケット２２を避けて取り付ける必要がある。具体的には、断熱部材５２にブラケット２２に対応する孔部を形成しておくか、図１０に示すように、水平方向においてブラケット２２に断熱部材５２の端部が突き当たるように取り付ければよい。いずれの場合も、ブラケット２２と断熱部材５２との間の隙間は、断熱性充填材５５を充填して埋めておくことが望ましい。断熱性充填材５５としては、図３〜図６の例で外部断熱層４１として用いたポリウレタンフォームが好ましく用いられる。尚、ロックウール層１５は、図７，図９，図１０に示すように、該断熱性充填材５５の露出面も覆っていることが望ましい。
【００５３】
本例においては、床スラブ４の上下に配置された断熱パネル１２に断熱部材５２を取り付けることにより、床スラブ４が内壁材１１と同様の構成で覆われ、実質的に上下階で内壁材１１が連続した構成となり、全体で高い断熱性が得られる。また、前記したように、ロックウール層１５の内部に湿気が浸入して結露した場合には、該ロックウール層１５が断熱パネル１２から剥離するおそれがあるが、本例では、図７〜図１０に示すように、ロックウール層１５と床スラブ４との間には断熱部材５２或いは断熱性充填材５５が介在し、ロックウール層１５が床スラブ４によって冷却されるおそれがない。よって、ロックウール層１５の内部に湿気が侵入しても結露するおそれがない。ロックウール層１５の施工方法としては、先に説明したロックウールシートの取り付け、或いは吹き付けのいずれでも好ましく用いられる。
【００５４】
本例は、断熱パネル１２に断熱部材５２を取り付け、必要に応じて断熱性充填材５５を充填し、断熱パネル１２及び断熱部材５２の露出面にロックウール層１５を設けるだけで良いため、施工が容易である。また、断熱パネル１２及び断熱部材５２として上記国土交通大臣認定番号ＮＭ−３０６５或いはＮＭ−３６９９の建築用不燃ボードを用い、吹き付けロックウールでロックウール層１５を形成することで、国土交通大臣認定番号ＦＰ０６０ＮＥ−９３０５の１時間耐火の吹き付けロックウール被覆外壁を上下階に連続して構成することができる。
【００５５】
〈第２の外壁構造〉
図１１は、本発明の第２の外壁構造の一実施形態の構成を模式的に示す図であり、外壁の厚さ方向及び垂直方向の切断部端面図である。また、図１２は、本例の外壁構造の水平方向の断面図であり、図１１のＪ−Ｊ’断面図である。尚、図１１は図１２のＫ−Ｋ’切断部の端面図である。
【００５６】
本発明の第２の外壁構造は、内壁材として耐火パネル６２を用いた以外は、先に説明した第１の外壁構造と基本構造は同じである。よって、共通する構成については、説明を省略する。
【００５７】
図１１，図１２の耐火パネル６２は、２枚の金属板６３，６３間にロックウール層６４を有しているが、本発明に用いられる耐火パネル６２としては、図１３に示すように、ポリウレタンフォーム、フェノールフォーム、イソシアヌレートフォームのいずれかからなる断熱性を有する中間層６５を２層のロックウール層６４，６４で挟持し、さらにその外側に金属板６３，６３を配置した構成であっても良い。いずれも耐火材であるロックウール層６４を有しており、優れた耐火性及び断熱性が得られるが、断熱性能が同じであれば、図１３の耐火パネル６２の方が、より薄い構成とすることができる。
【００５８】
本発明において用いられる金属板６３としては、第１の外壁構造に用いられる金属板１３が好ましく用いられる。また、ロックウール層６４は、ロックウールを主材料とし、パネル形状を維持しうる形態であれば、好ましく用いられる。例えば、ロックウールを樹脂バインダーを用いて板状に成形した成形板が好ましく用いられる。図１１，図１２の耐火パネル６２のロックウール層６４の厚さは、求められる断熱性能、耐火性能に応じて適宜選択される。また、図１３のロックウール層６４の厚さは、片側で２５〜８０ｍｍ程度であれば、良好な耐火性が得られた上で、耐火パネル６２を薄くすることができ、好ましい。また、中間層６５としてのポリウレタンフォーム、フェノールフォーム、イソシアヌレートフォームについては、従来、壁材や壁材の構成部材として用いられている発泡板が好ましく用いられ、必要な断熱性に応じて厚さが選択される。
【００５９】
本発明において用いられる耐火パネル６２は、外壁の非耐力壁の１時間耐火基準を満たすものが好ましく用いられる。具体的には、建築基準法第２条第七号並びに同法施行令第１０７条第二号及び第三号（外壁（非耐力壁）：各１時間）の規定に適合するものである。尚、第１の外壁構造において、好ましい内壁材として挙げた、国土交通大臣認定番号ＦＰ０６０ＮＥ−９３０５の１時間耐火の吹き付けロックウール被覆外壁についても、係る１時間耐火基準を満たすものである。
【００６０】
また、本発明においても、第１の外壁構造と同様に、図１４、図１５に示すように、床スラブ４の上方に取り付けられた耐火パネル６２の下部から、床スラブ４の下方に取り付けられた耐火パネル６２の上部にわたって連続し、床スラブ４の端部と、ブラケット２２の少なくとも床スラブ４の端部への取り付け側と、耐火パネル６２の金属板６３の一部と、を覆うポリウレタンフォームからなる外部断熱層４１を設けることで、コンクリート製の床スラブ４の端部及びブラケット２２の周辺の断熱性を高めることが好ましい。尚、図１５は、本例の外壁構造の水平方向の断面図であり、図１４のＬ−Ｌ’断面図であり、図１４は図１５のＭ−Ｍ’切断部の端面図である。
【００６１】
さらに、本発明においても、第１の外壁構造と同様に、図１６に示すように、外部断熱層４１の外側を防湿塗膜５１で覆って外部断熱層４１を湿気や水から保護することが好ましい。尚、防湿塗膜５１は、耐火パネル６２の金属板６３に至るまで形成し、完全に外部断熱層４１を覆っている。
【００６２】
さらにまた、本発明においても、第１の外壁構造と同様に、基礎１の上に床断熱材２、次いで最下階の床スラブ３が配置され、内壁材である耐火パネル６２が床断熱材２及び最下階の床スラブ３の周縁を取り囲んで、基礎１上に配置されているため、従来のコンクリート性の耐火外壁のように、床断熱材２の周縁部から立ち上がる立ち上がり断熱材を配置する必要がなく、床面積を広くとることができる。
【００６３】
第２の外壁構造においては、第１の外壁構造における断熱パネル１２の取り付けと同様にして耐火パネル６２を床スラブ４の上下に取り付け、次いで、第１の外壁構造と同様にブラケット２２、必要に応じて、縦胴縁２４或いは取り付け板２７を取り付けた縦胴縁２４、横胴縁２５を取り付け、外装材２１を取り付けることで施工できる。本外壁構造も非コンクリート製であるため、コンクリートの打設や、重いコンクリートパネルの取り付けなどの繁雑な作業が不要であり、作業が容易で短期間で施工することができる。
【符号の説明】
【００６４】
１：基礎、２：床断熱材、３，４：床スラブ、１１：内壁材、１２：断熱パネル、１３，５３：金属板、１４，５４：断熱材、１５：ロックウール層、２１：外装材、２２：ブラケット、２３：断熱パッキン、２４：縦胴縁、２５：横胴縁、２６：取り付け金具、２７：取り付け板、３１：アングル、３２：水切り金具、４１：外部断熱層、４２：防湿部材：４２ａ：カバー片、４２ｂ：取り付け片、４２ｃ：接続片、５１：防湿塗膜、５２：断熱部材、５５：断熱性充填材、６２：耐火パネル、６３：金属板、６４：ロックウール層、６５：中間層
【図１】
0006793377.tif 000002
【図２】
0006793377.tif 000003
【図３】
0006793377.tif 000004
【図４】
0006793377.tif 000005
【図５】
0006793377.tif 000006
【図６】
0006793377.tif 000007
【図７】
0006793377.tif 000008
【図８】
0006793377.tif 000009
【図９】
0006793377.tif 000010
【図１０】
0006793377.tif 000011
【図１１】
0006793377.tif 000012
【図１２】
0006793377.tif 000013
【図１３】
0006793377.tif 000014
【図１４】
0006793377.tif 000015
【図１５】
0006793377.tif 000016
【図１６】
0006793377.tif 000017